(57)【要約】      （修正有）【課題】キャリアバッグにあって、一対のキャスターに樋状カバー体を下方から外嵌めし、適宜固定手段によってキャスターに着脱可能に固定する。樋状カバー体は一対の支持片を断面略Ｌ字状に連設し、この連設部を外側に突出した突出湾曲状にしたキャリアバッグ用雪上移動装置を提供する。  【解決手段】キャリアバッグ用雪上移動装置Ｂは、カバン体１０と取っ手と所要数のキャスター１２とを備え、前記カバン体における底面の一端縁の両端部に各々前記キャスターを設置するとともに前記カバン体の前記キャスター側の正面に前記取っ手を設置してキャリアバッグを形成する。さらに、前記一対のキャスターに樋状カバー体２０を下方から外嵌めし、適宜固定手段によって前記キャスターに着脱可能に固定する。前記樋状カバー体は一対の支持片２２、２３を断面略Ｌ字状に連設し、この連設部２４を外側に突出した突出湾曲状にする。【選択図】図５
0003182001.tif 000002
【実用新案登録請求の範囲】
【請求項１】
カバン体と取っ手と所要数のキャスターとを備え、前記カバン体における底面の一端縁の両端部に各々前記キャスターを設置するとともに前記カバン体の前記キャスター側の正面に前記取っ手を設置したキャリアバッグにあって、前記一対のキャスターに樋状カバー体を下方から外嵌めし、適宜固定手段によって前記キャスターに着脱可能に固定したキャリアバッグ用雪上移動装置において、前記樋状カバー体は一対の支持片を断面略Ｌ字状に連設し、この連設部を外側に突出した突出湾曲状にしたことを特徴とするキャリアバッグ用雪上移動装置。
【請求項２】
前記樋状カバー体は、複数の樋状補助カバー体を樋状態で互いにスライド可能に嵌挿したことを特徴とする請求項１のキャリアバッグ用雪上移動装置。
【請求項３】
前記複数の樋状補助カバー体は、一方の樋状補助カバー体の端縁に設けられたスライド溝に他方の樋状補助カバー体の端縁に設けられたスライド突条をスライド可能に嵌めたことを特徴とする請求項２のキャリアバッグ用雪上移動装置。
【請求項４】
記樋状カバー体における片方の支持片の端縁に補助片を連設するとともにこの補助片を内側方向に延ばし、この補助片をも含めて前記樋状カバー体としたことを特徴とする請求項１のキャリアバッグ用雪上移動装置。
【考案の詳細な説明】
【技術分野】
【０００１】
この考案はキャリアバッグ用雪上移動装置に関し、雪道において歩行者がキャリアバッグを牽引する場合に使用される。
【０００２】
従来におけるキャリアバッグ用雪上移動装置は、カバン体における底面の一端縁の両端部に各々キャスターを設置するとともにカバン体のキャスター側の正面に取っ手を設置したキャリアバッグにおいて、前記一対のキャスターに樋状カバー体を下方から外嵌めし、弾性ロープ等によって着脱可能に固定したものであった。そして、使用者は、前記取っ手を傾斜させた状態で引くことにより雪上を橇の如く滑らせながらキャリアバッグを滑らかに牽引していた。
【０００３】
【特許文献１】実開平５−６３３２３号公報
【特許文献２】実登録第３１７８４２７号公報
【考案の開示】
【考案が解決しようとする課題】
【０００４】
しかしながら、かかる従来のキャリアバッグ用雪上移動装置にあっては、前記樋状カバー体が断面Ｃ字状であったため、前記キャスターの外径が前記樋状カバー体の内径よりも大きな場合、前記樋状カバー体を安定した状態で外嵌めすることができず、この結果、キャリアバッグに設置するにあたって、別途に、外嵌め可能な樋状カバー体を用意しなければならないという不都合を有した。
【０００５】
この不都合を解消することがこの考案の課題である。
【課題を解決するための手段】
【０００６】
前記課題を達成するために、この考案に係るキャリアバッグ用雪上移動装置においては、カバン体と取っ手と所要数のキャスターとを備え、前記カバン体における底面の一端縁の両端部に各々前記キャスターを設置するとともに前記カバン体の前記キャスター側の正面に前記取っ手を設置したキャリアバッグにあって、前記一対のキャスターに樋状カバー体を下方から外嵌めし、適宜固定手段によって前記キャスターに着脱可能に固定したキャリアバッグ用雪上移動装置において、前記樋状カバー体は一対の支持片を断面略Ｌ字状に連設し、この連設部を外側に突出した突出湾曲状にしたものである。
【０００７】
この場合、前記樋状カバー体は、複数の樋状補助カバー体を樋状態で互いにスライド可能に嵌挿することもできる。
【０００８】
また、前記複数の樋状補助カバー体は、一方の樋状補助カバー体の端縁に設けられたスライド溝に他方の樋状補助カバー体の端縁に設けられたスライド突条をスライド可能に嵌めることもできる。
【０００９】
更に、前記樋状カバー体における片方の支持片の端縁に補助片を連設するとともにこの補助片を内側方向に延ばし、この補助片をも含めて前記樋状カバー体とすることもできる。
【考案の効果】
【００１０】
この考案に係るキャリアバッグ用雪上移動装置は上記のように構成されているため、即ち、カバン体と取っ手と所要数のキャスターとを備え、前記カバン体における底面の一端縁の両端部に各々前記キャスターを設置するとともに前記カバン体の前記キャスター側の正面に前記取っ手を設置したキャリアバッグにあって、前記一対のキャスターに樋状カバー体を下方から外嵌めし、適宜固定手段によって前記キャスターに着脱可能に固定したキャリアバッグ用雪上移動装置において、前記樋状カバー体は一対の支持片を断面略Ｌ字状に連設し、この連設部を外側に突出した突出湾曲状にしたため、前記樋状カバー体をその突出湾曲状の連設部の内側をキャスターに当接するように外嵌めし、固定手段によってキャリアバッグに固定することができ、キャスターの外径の大小に関わらず樋状カバー体を外嵌めすることができる。
【００１１】
よって、この考案に係るキャリアバッグ用雪上移動装置を使用すれば、樋状カバー体をキャリアバッグに取り付けるにあたって、いかなる大きさの外径をしたキャスターに対しても対応することができ、橇の如く機能して前記キャリアバッグは雪上を滑りながら移動することができ、従来のようにキャスターの外径に対応する樋状カバー体を用意する必要はないものである。
【００１２】
この場合、前記樋状カバー体は、複数の補助樋状カバー体を樋状態で互いにスライド可能に嵌挿すれば、一対のキャスターの間隔が異なる種々のキャリアバッグにもこの樋状カバー体を取り付けることができる。
【００１３】
また、前記複数の補助樋状カバー体は、一方の補助樋状カバー体の端縁に設けられたスライド溝に他方の助樋状カバー体の端縁に設けられたスライド突条をスライド可能に嵌めるようにすれば、樋状補助カバー体同士のスライドを安定した状態で滑らかに行うことができる。
【００１４】
更に、前記樋状カバー体における片方の支持片の端縁に補助片を連設するとともにこの補助片を内側方向に延ばし、この補助片をも含めて前記樋状カバー体とすれば、この片方の支持片をキャリアバッグの下方に配置した場合この補助片は道路から離れた状態となるため、固定手段の取付金具等が走行に邪魔にならない状態で容易に取り付けることができる。 
【考案の実施の形態】
【００１５】
この考案に係るキャリアバッグ用雪上移動装置は実施するにあたって次の特徴を有する。
【００１６】
「樋状カバー体」は一対の支持片を断面略Ｌ字状に連設し、この連設部を外側に突出した突出湾曲状にしたものであるが、通常、合成樹脂によって一体成形される。
【００１７】
「断面略Ｌ字状」の内角は、適宜定めることができるが、略９０度にすることが望ましい。これは、キャリアバッグに「樋状カバー体」を設置する場合、キャリアバッグの前面とキャスターの下面に安定良く且つ突出することなく設置することができるからである。
【００１８】
また「連設部を外側に突出した突出湾曲状」にするのは、この連設部を雪上に載置して橇のように滑らせるためである。
【００１９】
「補助片」は連設する支持片に対して垂直に延ばす以外に鈍角に配置して内側後方に延ばすこともできる。
【００２０】
「固定手段」としては、樋状カバー体の一の支持片と他の支持片側に設置した掛け止め具とこれらの掛け止め具に繋がれ、キャリアバッグに弾性的に巻き掛けられる弾性ロープを使用することができる。
【００２１】
また、「樋状カバー体」は単一の樋状補助カバー体から構成しても良いし、複数の樋状補助カバー体をスライド可能に連設しても良い。「複数の樋状補助カバー体をスライド可能に連設する場合」は、一方の樋状補助カバー体の端縁に設けられたスライド溝に他方の樋状補助カバー体の端縁に設けられたスライド突条をスライド可能に嵌めるのが適している。
【実施例】
【００２２】
以下、この考案の実施例を図面に基づいて説明する。
【００２３】
図１はこの考案に係るキャリアバッグ用雪上移動装置の正面図、図２は同左側面図、図３は図１におけるIII部拡大図、図４は図３における平面図、図５は図１におけるV部拡大図、図６は使用状態図、図７は他の使用状態図，  図８は図５に相当する他の実施例の図である。
【００２４】
図１及び図２において、Ａはキャリアバッグ、１０そのカバン体である。このカバン体１０は略直方体状をし、防水布等によって形成されている。
【００２５】
１１，１１は基台であり、前記カバン体１０における底面の両側に設置されている。この基台１１，１１は前記カバン体１０はＬ字状であり、その角部を介して前記カバン体１０の正面下端部に略隙間なく位置している。
【００２６】
１２，１２はキャスターであり、前記基台１１，１１の下面に各々設置されている。これらのキャスター１２，１２は前記カバン体１０の正面側に位置し、前記キャリアバッグＡはこれらのキャスター１２，１２を介して移動することができる（図６を参照のこと）。
【００２７】
１３，１３は支持具であり、前記基台１１，１１の下面に各々一体形成されている。これらの支持具１３、１３は前記カバン体１０の背面側に位置している。これらの支持具１３，１３を介して前記キャリアバッグＡを略垂直に立てることができる。なお、前記支持具１３，１３は片方のみ図示したが、両方の基台１１，１１に略対象に設置されている。
【００２８】
１４は取っ手であり、前記一対の基台１１，１１に架け渡されている。この取っ手１４は一体的に形成され、垂直部１４１，１４１とこれらの垂直部１４１，１４１を繋ぐ水平部１４２とから構成されている。この取っ手１４の水平部１４２を掴むことによって、使用者は前記キャリアバッグＡを牽引することができる（図６，図７を参照のこと）。
【００２９】
Ｂはキャリアバッグ用雪上移動装置であり、前記キャリアバッグＡのキャスター１２，１２に前面下方側から弾性的に取り付けられている。２０は樋状カバー体であり、前記キャリアバッグ用雪上移動装置Ｂの主要部を構成している。
【００３０】
次に、図３〜図５に基づいて、この樋状カバー体２０について詳述する。
【００３１】
この樋状カバー体２０は一対の樋状補助カバー体２１，３１をスライド可能に嵌挿させたものである。これらの樋状補助カバー体２１，３１は合成樹脂によって弾性的に形成され、水平支持片２２，３２と垂直支持片２３、３３とを略Ｌ字状に連設したものである。２４，３４はこれらの支持片２２，２３，３２、３３の連設部であり、外側に突出した突出湾曲状をしている。なお、前記連設部２４，３４における断面略Ｌ字状の内角は、適宜定めることができるが、略９０度にすることが望ましい。
【００３２】
２５，３５は開口部であり、前記樋状補助カバー体２１，３１の上端部に形成されている。前記記樋状補助カバー体２１，３１は前記連設部２４，３４からこの開口部２５，３５に向かって漸次は幅広になっている。このため、この開口部２５，３５を前記キャスター１２，１２を外嵌めした状態で接触させることができる。
【００３３】
次に、２６，３６は補助片であり、前記水平支持片２２，３２に連設されている。この補助片２６，３６は内側方向にのび前記記樋状補助カバー体２１，３１の一部を構成している。
【００３４】
２７はスライド突条であり、前記樋状補助カバー体２１の開口部２５の端縁を円柱棒状に突出させることによって形成されている。このスライド突条２７は前記樋状補助カバー体２１のスライド方向に延びている。
【００３５】
一方、３７はスライド溝であり、前記一方の樋状補助カバー体３１の開口部３５の端縁を外側に湾曲させることによって管状に形成されている。このスライド溝３７は前記樋状補助カバー体３１のスライド方向に延びている。このスライド溝３７に前記樋状補助カバー体２１のスライド突条２７を内嵌めしスライドさせることによって前記樋状補助カバー体２１，３１同士のスライド運動をガイドすることができる。
【００３６】
なお、前記樋状カバー体２０は必ずしも複数の樋状補助カバー体２１，３１をスライドさせて構成する必要はなく、単一の樋状補助カバー体２１，３１のみから構成することもできるし、３つ以上の樋状補助カバー体２１，３１を互いにスライド可能に組み合わせて構成することもできる。
【００３７】
次に、２８，３８は係止片であり、前記樋状補助カバー体２１，３１における前記連設部２３，３３の外端縁に一体形成されている。この係止片２８，３８は前記樋状補助カバー体２１，３１から前記キャスター１２，１２が抜け落ちるのを防止している。
【００３８】
４１，４２，５１，５２は掛止具であり、前記前記樋状補助カバー体２１，３１の外側端部にねじ止めされている。このうち係止具４１，５１は前記補助片２６，３６の外壁面に位置し、係止具４２，５２は垂直支持片２３、３３の上部に位置している。
【００３９】
次に、このキャリアバッグ用雪上移動装置Ｂを使用する場合は、図６に示すように、前記キャリアバッグＡのキャスター１２，１２に前記樋状カバー体２０を下方から外嵌めした状態でその連設部２４，３４を当接し、前記片方の掛止具４１，５１に弾性ロープ６０，６０をフック６１，６１を介して連結し、前記キャリアバッグＡに巻き掛け、弾性ロープ６０，６０の他方をフック６２，６２を介して他方の係止具４２，５２に弾性的に掛け止めし、前記キャリアバッグ用雪上移動装置ＢをキャリアバッグＡに固定する。そして、前記キャリアバッグＡを雪上において橇の如く滑らせることができる。
なお、この掛止具４１，４２，５１，５２と弾性ロープ６０，６０とフック６１，６１，６２，６２とがこの考案の「固定手段」に相当する。
【００４０】
また、図７に示すように、前記樋状カバー体２０を、前記両側の支持具１３，１３に外嵌めして同様に使用することもできる。
【００４１】
なお、前記係止具を設置する代わりに、図８に示すように、この係止具４２，４２，５２，５２の位置よりも端縁側に係止孔４３，５３，４３，５３を形成し、これらの係止孔４３，５３，４３，５３に前記弾性ロープ６０，６０の対応するフック６１，６１，６２，６２を掛け止めし、前記キャリアバッグ用雪上移動装置ＢをキャリアバッグＡに固定することもできる。
【産業上の利用可能性】
【００４２】
この考案に係るキャリアバッグ用雪上移動装置は、前記樋状カバー体をその突出湾曲状の連設部の内側をキャスターに当接するように外嵌めし、固定手段によってキャリアバッグに固定することができ、キャスターの外径の大小に関わらず樋状カバー体を外嵌めすることができる。樋状カバー体をキャリアバッグに取り付けるにあたって、いかなる大きさの外径をしたキャスターに対しても対応することができ、橇の如く機能して前記キャリアバッグは雪上を滑りながら移動することができ、従来のようにキャスターの外径に対応する樋状カバー体を用意する必要はない。よって、産業上の利用可能性は高い。
【図面の簡単な説明】
【００４３】
【図１】図１はこの考案に係るキャリアバッグ用雪上移動装置の正面図である。
【図２】図２は同左側面図である。
【図３】図３は図１におけるIII部拡大図である。
【図４】図４は図３における平面図である。
【図５】図５は図１におけるV部拡大図である。
【図６】図６は使用状態図である。
【図７】図７は他の使用状態図である。
【図８】図８は図５に相当する他の実施例の図である。
【符号の説明】
【００４４】
Ａ  …  キャリアバッグ、
Ｂ  …  キャリアバッグ用雪上移動装置
１０  …  カバン体
１１  …  基台
１２  …  キャスター
１３  …  支持具
１４  …  取っ手
１４１  …  垂直部
１４２  …  水平部
２０  …  樋状カバー体
２１  …  樋状補助カバー体
２２  …  水平支持片
２３  …  垂直支持片
２４  …  連設部
２５  …  開口部
２６  …  補助片
２７  …  スライド溝
２８  …  係止片
３１  …  樋状補助カバー体
３２  …  水平支持片
３３  …  垂直支持片
２４  …  連設部
３５  …  開口部
３６  …  補助片
３７  …  スライド突条
３８  …  係止片
４１  …  掛止具（固定手段）
４２  …  掛止具（固定手段）
４３  …  掛止孔（固定手段）
５２  …  掛止具（固定手段）
５３  …  掛止孔（固定手段）
６０  …  弾性ロープ（固定手段）
６１  …  フック（固定手段）
６２  …  フック（固定手段）
【図１】
0003182001.tif 000003
【図２】
0003182001.tif 000004
【図３】
0003182001.tif 000005
【図４】
0003182001.tif 000006
【図５】
0003182001.tif 000007
【図６】
0003182001.tif 000008
【図７】
0003182001.tif 000009
【図８】
0003182001.tif 000010